(57)【要約】【課題】誤作動を抑え、万引きされた物を明確にするため、商品が取り出された時とゲートを通過した時の映像を記録し、正確な犯人像を入手可能な盗難防止システムを提供する。【解決手段】商品２０に取り付けられる無線タグ２２と、無線タグ２２と通信可能であって、店舗の出入り口に配設される出入口アンテナ２４と、出入口アンテナ２４に接続され、出入口アンテナ２４への電源供給と、無線タグ２２との通信結果の通信を行う出入口通信手段２６と、アラームを発生させるアラーム手段３０と、出入口通信手段２６、アラーム手段３０の動作を制御する制御手段４０を具備し、出入口通信手段２６が出入口アンテナ２４に電源を供給し、無線タグ２２と出入口アンテナ２４とが通信した場合、制御手段４０がアラーム手段３０を起動させてアラームを発生させることを特徴とする盗難防止システム１０である。【選択図】        図１
2004310172.tif 000002
【特許請求の範囲】
【請求項１】
商品に取り付けられる無線タグと、
該無線タグと通信可能であって、店舗の出入り口に配設される出入口アンテナと、
前記出入口アンテナに接続され、前記出入口アンテナへの電源供給と、前記無線タグと当該出入口アンテナとの通信結果の通信を行う出入口通信手段と、
アラームを発生させるアラーム手段と、
前記出入口通信手段と、前記アラーム手段の動作を制御する制御手段とを具備し、
前記出入口通信手段により前期出入口アンテナに電源を供給した際に、前記無線タグと前記出入口アンテナとが通信した場合、前記制御手段が前記アラーム手段を起動させてアラームを発生させることを特徴とする盗難防止システム。
【請求項２】
前記盗難防止システムは、出入口近傍を撮影する出入口カメラと、
前記出入口カメラの動作を制御する出入口カメラ制御手段と、
前記出入口カメラの撮影画像データを記憶する記憶手段とを備え、
前記無線タグと前記出入口アンテナが通信をした際に、前記出入口カメラ制御手段が、前記出入口カメラに出入口近傍を撮影させ、かつ、前記出入口カメラが撮影した撮影画像データを前記出入口アンテナと通信した無線タグの無線タグ情報と共に前記記憶手段に記憶させるように制御することを特徴とする請求項１記載の盗難防止システム。
【請求項３】
商品に取り付けられる無線タグと、
前記無線タグが取り付けられた商品を陳列する陳列棚に設けられ、前記無線タグと通信可能な単数または複数の陳列棚アンテナと、
前記陳列棚アンテナに接続され、当該出入口アンテナへの電源供給と、前記無線タグと当該陳列棚アンテナとの通信結果の通信を行う陳列棚通信手段と、
前記無線タグと陳列棚アンテナとの通信結果を比較対象情報として記憶させる記憶手段と、
前記無線タグと前記陳列棚アンテナとの通信結果を前記記憶手段に記憶させた比較対象情報と比較することにより、前記商品の前記陳列棚からの出入りを判断する判断手段と、
前記陳列棚の近傍を撮影する陳列棚カメラと、
前記無線タグと通信可能であって、店舗の出入り口に配設される出入口アンテナと、
前記出入口アンテナに接続され、当該出入口アンテナへの電源供給と、前記無線タグと当該出入口アンテナとの通信結果の通信を行う出入口通信手段と、
前記陳列棚通信手段と、前記記憶手段と、前記判断手段と、前記陳列棚カメラと、前記出入口通信手段の動作を制御する制御手段とを具備し、
前記判断手段は、前記陳列棚から商品が取り出されたと判断した際に、前記陳列棚カメラに陳列棚の近傍を撮影させると共に、当該撮影画像データを前記陳列棚から取り出されたと判断された商品に付された無線タグの無線タグ情報に関連付けて前記記憶手段に記憶させ、かつ、前記無線タグと前記出入口アンテナとが通信をした際に、前記出入口カメラに出入口近傍を撮影させると共に、撮影画像データを前記出入口アンテナと通信した無線タグの無線タグ情報に関連付けて前記記憶手段に記憶させるように制御することを特徴とする盗難防止システム。
【請求項４】
前記盗難防止システムは、アラーム手段を備え、
前記出入口通信手段により前記出入口アンテナに電源を供給した際に、前記無線タグと前期出入口アンテナとが通信した場合に、前記制御手段が前記アラーム手段を作動させることを特徴とする請求項３記載の盗難防止システム。
【請求項５】
前記商品に付される無線タグには、他の商品との識別をする識別子が付されているものがあり、前記判断手段が当該識別子を付した無線タグが付された商品が前記陳列棚から取り出されたと判断した場合には、
前記制御手段が前記アラーム手段を作動させるように制御することを特徴とする請求項２または４に記載の盗難防止システム。
【請求項６】
前記アラーム手段は、アラームとして店内にサインミュージックを放送することを特徴とする請求項１、２、４、５のうちいずれか一項に記載の盗難防止システム。
【請求項７】
前記アラーム手段は、表示手段を有していて、
前記陳列棚通信手段または前記出入口通信手段による無線タグとの通信結果から当該無線タグが付された商品の名称等の商品データを表示することを特徴とする請求項１、２、４、５、６のうちいずれか一項に記載の盗難防止システム。
【発明の詳細な説明】
【０００１】
【発明の属する技術分野】
本発明は、盗難防止システムに関し、より詳細には、無線タグとアンテナとを通信させることにより商品の管理を行う盗難防止システムに関する。
【０００２】
【従来の技術】
従来、商品の盗難防止においては、警備員の配置および店内を監視する監視カメラの配置や、共振タグを商品に貼り付け、共振タグと反応する電波または磁界を発するゲートを配設した盗難防止システムが提供されている。
しかしながら、商品に取り付けた共振タグは簡単に取り外すことができるので、商品から共振タグを取り外してしまえば、未清算のままゲートを出ても警報装置が作動しないといった課題や、傘等の金属製品等との共振により誤作動してしまうことがあり、盗難防止システムとしては未熟なものであるという課題があった。
【０００３】
そこで、盗難防止システムの発信アンテナからの特定周波数の電波に共振する共振回路部と、盗難防止用タグが監視している物品より分離された時に接点が閉接する取り外し検出スイッチ及びスイッチの作動に応動して報知音を出力するブザーと、この時に発光する発光部とを備える報知音出力部とを同時に具備させた盗難防止用タグが特許文献１に記載されている。
【特許文献１】
特開平８−１８５５８４号公報
【０００４】
【発明が解決しようとする課題】
特許文献１に記載の盗難防止用タグによる盗難防止システムでは、共振電波を用いたものであるが故、金属製品等においても電波が共振し、誤作動してしまうという課題や、何が万引きされたのかが不明確であるということや、万引き等をした犯人が逃走してしまえば、犯人に関する情報は店内に配設した監視カメラの映像と時間により推測しなければならず、混雑した店内においては、正確な犯人像が掴み難くなるという課題がある。
【０００５】
本発明は、誤作動を極力抑えると共に、何が万引きされたかを明確にすることができ、さらには、万引きされた商品が取り出された時点と未清算のままゲートを通過した時点の映像を記録しておくことにより、正確な犯人像を入手することができる盗難防止システムを提供することを目的とする。
【０００６】
【課題を解決するための手段】
以上の課題を解決するため本願発明は次の構成を有する。
すなわち、商品に取り付けられる無線タグと、該無線タグと通信可能であって、店舗の出入り口に配設される出入口アンテナと、前記出入口アンテナに接続され、前記出入口アンテナへの電源供給と、前記無線タグと当該出入口アンテナとの通信結果の通信を行う出入口通信手段と、アラームを発生させるアラーム手段と、前記出入口通信手段と、前記アラーム手段の動作を制御する制御手段とを具備し、前記出入口通信手段により前期出入口アンテナに電源を供給した際に、前記無線タグと前記出入口アンテナとが通信した場合、前記制御手段が前記アラーム手段を起動させてアラームを発生させることを特徴とする盗難防止システムである。
これによれば、盗難防止用タグに無線タグを用いているので、商品に関する各種の情報を無線タグに記憶させておくことができるため、何が万引きされたかが明確になる。
また、無線タグは非常に薄く小さくすることができるので、商品に直接取り付けることも可能であり、どこに取り付けてあるの分からなくすることができる。これにより、無線タグを取り外すことができなくなり、確実に盗難を防止することができる。
【０００７】
また、前記盗難防止システムは、出入口近傍を撮影する出入口カメラと、前記出入口カメラの動作を制御する出入口カメラ制御手段と、前記出入口カメラの撮影画像データを記憶する記憶手段とを備え、前記無線タグと前記出入口アンテナが通信をした際に、前記出入口カメラ制御手段が、前記出入口カメラに出入口近傍を撮影させ、かつ、前記出入口カメラが撮影した撮影画像データを前記出入口アンテナと通信した無線タグの無線タグ情報と共に前記記憶手段に記憶させるように制御することが好ましい。
これによれば、何らかの方法で商品が未清算のまま店舗外へ持ち出された場合であっても、カメラによる撮影画像が無線タグ情報と共に保存されているので、犯人と盗難された商品を把握することができるため、後の防犯対策において非常に有効である。
【０００８】
さらに他の発明は、商品に取り付けられる無線タグと、前記無線タグが取り付けられた商品を陳列する陳列棚に設けられ、前記無線タグと通信可能な単数または複数の陳列棚アンテナと、前記陳列棚アンテナに接続され、当該出入口アンテナへの電源供給と、前記無線タグと当該陳列棚アンテナとの通信結果の通信を行う陳列棚通信手段と、前記無線タグと陳列棚アンテナとの通信結果を比較対象情報として記憶させる記憶手段と、前記無線タグと前記陳列棚アンテナとの通信結果を前記記憶手段に記憶させた比較対象情報と比較することにより、前記商品の前記陳列棚からの出入りを判断する判断手段と、前記陳列棚の近傍を撮影する陳列棚カメラと、前記無線タグと通信可能であって、店舗の出入り口に配設される出入口アンテナと、前記出入口アンテナに接続され、当該出入口アンテナへの電源供給と、前記無線タグと当該出入口アンテナとの通信結果の通信を行う出入口通信手段と、前記陳列棚通信手段と、前記記憶手段と、前記判断手段と、前記陳列棚カメラと、前記出入口通信手段の動作を制御する制御手段とを具備し、前記判断手段は、前記陳列棚から商品が取り出されたと判断した際に、前記陳列棚カメラに陳列棚の近傍を撮影させると共に、当該撮影画像データを前記陳列棚から取り出されたと判断された商品に付された無線タグの無線タグ情報に関連付けて前記記憶手段に記憶させ、かつ、前記無線タグと前記出入口アンテナとが通信をした際に、前記出入口カメラに出入口近傍を撮影させると共に、撮影画像データを前記出入口アンテナと通信した無線タグの無線タグ情報に関連付けて前記記憶手段に記憶させるように制御することを特徴とする盗難防止システムである。
これによれば、商品が陳列位置から取り出された時点と、店舗外に持ち出された時点において、カメラによる撮影データを商品情報と共に記憶させておくことができるので、さらに正確に犯人像をつかむことができる。
【０００９】
さらにまた、前記盗難防止システムは、アラーム手段を備え、前記出入口通信手段により前記出入口アンテナに電源を供給した際に、前記無線タグと前期出入口アンテナとが通信した場合に、前記制御手段が前記アラーム手段を作動させることが好ましい。
これによれば、人気商品等の万引きされやすい商品が陳列場所から取り出され時点で、アラームが作動するので、万引きになる前の段階で店員に注意を促すことができるので、万引き行為そのものを抑制することができる。
【００１０】
また、前記アラーム手段は、アラームとして店内にサインミュージックを放送することが好ましい。
これによれば、店内の顧客に不快感を与えることなく、店員のみに注意を喚起させることができるため、店内の雰囲気を壊すことがない。
【００１１】
さらにまた、前記アラーム手段は、表示手段を有していて、前記陳列棚通信手段または前記出入口通信手段による無線タグとの通信結果から当該無線タグが付された商品の名称等の商品データを表示することが好ましい。
これによれば、万引きが生じた場合であっても、店舗の出入口で万引きされた商品を特定することができるので、万引き行為の証拠をつかみやすくなる。
【００１２】
【発明の実施の形態】
以下、本発明に係る盗難防止システムの好適な実施の形態を添付図面に基づいて詳細に説明する。
なお本発明は、本実施の形態に限定されるものではなく、発明の要旨を変更しない範囲において、各種の改変がなされても本発明の技術的範囲に属するのは言うまでもない。
【００１３】
（第１の実施の形態）
まず、本実施の形態における盗難防止システムの概要について図１を用いて説明する。なお、図１は、第１の実施の形態における盗難防止システムの概略構成を示す説明図である。
本実施の形態における盗難防止システム１０は、商品２０に取り付けられる無線タグ２２と、無線タグ２２と通信可能であって、店舗の出入り口に配設される出入口アンテナ２４と、出入口アンテナ２４に接続され、無線タグ２２との通信を行うと共に、出入口アンテナ２４に電源を供給するための出入口通信手段２６と、出入口近傍のようすを撮影する出入口カメラ２８と、無線タグ２２と出入口アンテナ２４とが通信した場合に、アラームを発生させるアラーム手段３０と、店舗内の商品に付されている無線タグの無線タグ情報や出入口カメラ２８が撮影した映像データを記憶する記憶手段３２と、出入口通信手段２６、出入口カメラ２８、アラーム手段３０の動作を制御する制御手段４０とにより概略が構成されている。
【００１４】
商品２０と無線タグ２２は、無線タグ２２を取り付けたケース（図示せず）の中に商品２０を入れたり、専用の治具等により商品２０に直接取り付けることにより一体にして陳列することができる。また、近年においては、無線タグ２２のＩＣチップの小型化により、商品２０の中や包装の中に予め埋め込んでおくことも十分可能である。
無線タグ２２の電源は出入口アンテナ２４より発せられる電波を変換することにより得る形態のものとしているが、これに限定されるものではなく、例えば、薄型の電池を内蔵する形式のものであっても良いのはもちろんである。
また、無線タグ２２へのデータの書き込みは単数回のみ可能な方式のものであればよいが、複数回のデータの書き込みが可能な方式のものであってもよいのはいうまでもない。
【００１５】
商品２０に取り付けられた無線タグ２２と出入口アンテナ２４との通信は出入口通信手段２６により制御されている。出入口アンテナ２４は、常に電波を放出していなければならないので、電源は常時供給されている。また、商品２０を販売している店舗が壁に仕切られていない場合においては、店舗の出入口のみならず、店舗の外周を囲うようにして出入口アンテナ２４を配設しておけば出入口以外からの商品２０の持ち出しを監視することができるため好適である。
【００１６】
本実施の形態における盗難防止システムの概略動作について説明する。本実施の形態に係る盗難防止システム１０においては、顧客により取り出された商品２０において、清算が済んでおらず、無線タグ２２が商品２０から取り外されていない状態や、レジにおいて清算済みの情報を記録していない無線タグ２２が出入口アンテナ２４を通過した場合の通信結果が、出入口通信手段２６により制御手段４０に送信されると、制御手段４０は商品２０が盗難されたとみなす。これと同時に、アラーム手段３０を起動させて、アラームを発生させる。この時、商品２０に無線タグ２２が取り付けられているので、店舗側で無線タグ２２の無線タグ情報（ユニークコード）を予め控えておけば、出入口アンテナ２４に反応した商品２０が盗難されたことを明らかにすることができるため好適である。
【００１７】
また、制御手段４０は、アラーム手段３０を作動させると同時に、出入口付近に配設されている出入口カメラ２８に出入口近傍の撮影をさせると共に、撮影画像データを出入口アンテナ２４に反応した商品２０の無線タグ情報に関連付けして記憶手段３２に記憶させる。
これにより、仮に商品２０が盗難されてしまった場合でも、盗難された商品２０が誰により持ち出されたのかを明確にすることができるので、以後の盗難対策において有効な情報となるため好適である。
【００１８】
（第２の実施の形態）
第１の実施の形態においては、未清算の商品２０が出入口アンテナ２４に来て初めて盗難防止システム１０として作動するものであったが、そのため、出入口アンテナ２４に反応した商品２０が本当に店内にあった商品２０であるか否かを確認することができないという不具合が考えられる。
そこで、商品２０が陳列されている陳列棚５０にも通信アンテナおよび監視カメラを追加的に配設することにより、店内に陳列されていた商品２０が取り出された時点から、商品２０の追跡を行うことを可能にしたのが本実施の形態の特徴である。
【００１９】
図２は、本実施の形態における盗難防止システムの概略構成を示す説明図である。図３は、陳列棚アンテナのアンテナ形状を示す説明平面図である。図４は、本実施の形態における盗難防止システムの動作フローである。
本実施の形態においては、商品２０が陳列されている陳列棚５０にも、無線タグ２２に反応する電波を放出する陳列棚アンテナ５２が配設されている。陳列棚アンテナ５２は、陳列棚５０において商品２０の載置部分５０ａにそれぞれ配設されていて、陳列棚５０に陳列された商品２０のそれぞれの無線タグ２２について通信可能に形成されている。陳列棚アンテナ５２は図３に示すように、陳列棚５０の載置部分５０ａにおいて、平面視「日」の字状に配設されているので、載置部分５０ａに載置されている商品２０の無線タグ２２との通信が好適に行われる。
【００２０】
陳列棚アンテナ５２の端部は陳列棚通信手段５４に接続されていて、陳列棚通信手段５４が所定の間隔で商品２０の無線タグ２２と通信をするように設定される。したがって、陳列棚アンテナ５２は陳列棚通信手段５４にすべて直列接続はせずに、それぞれの陳列棚アンテナ５２の端部を陳列棚通信手段５４に並列接続しておけば、所望の陳列棚アンテナ５２に選択的に電源を供給することが可能になるので好都合である。
なお、無線タグ２２と陳列棚アンテナ５２は一回の通信により載置部分５０ａに載置されているすべての商品２０の無線タグ２２を識別可能な読み取り方式のものを用いれば、通信効率が向上するため好適である。
【００２１】
また、陳列棚５０の近傍には陳列棚５０から商品２０が取り出されたことが撮影可能な陳列棚カメラ５６が設置されている。陳列棚カメラ５６は、制御手段４０により動作が制御されていて、陳列棚アンテナ５２と無線タグ２２との通信結果に連動して動作するように設定されている。
陳列棚カメラ５６は、通常時においては、店内を監視する監視カメラとして動作させておくことももちろん可能であり、場合によっては既設の監視カメラを陳列棚カメラ５６として使用可能に設定すれば、本盗難防止システム１０の導入コストを削減することができるため好都合である。
【００２２】
まず、開店前の時点における店内の商品２０の状態を把握するため、陳列棚通信手段５４により、陳列棚アンテナ５２に電源が供給されて、無線タグ２２との通信を行う。通信結果は、基本情報として記憶手段３２に記憶される。
制御手段４０（判断手段）は、無線タグ２２と陳列棚アンテナ５２との通信結果を記憶手段３２に記憶させてある基本情報と比較することにより、陳列棚５０から商品２０が取り出されたものと判断する。
制御手段４０（判断手段）により、商品２０が陳列棚５０から取り出されたと判断された場合、制御手段４０は、陳列棚カメラ５６に陳列棚５０周辺を撮影させる。
【００２３】
陳列棚カメラ５６に陳列棚５０の近傍を撮影させる際には、商品２０が陳列棚５０のどの位置から取り出されたかを識別することができることが好ましい。これにより、制御手段４０は、陳列棚５０における商品２０が取り出された位置を中心として陳列棚カメラ５６に陳列棚５０の周辺状況を撮影させることができる。
この場合、無線タグ２２と陳列棚アンテナ５２とは常に通信されている状態または、顧客が陳列棚５０から商品２０を取り出している状態を撮影することが可能であるような短時間に設定しておく必要がある。また、無線タグ２２と陳列棚アンテナ５２との通信結果は、陳列棚５０の載置部分５０ａ毎に管理するようにしておけば、制御手段４０（判断手段）は、陳列棚５０のどの位置から商品２０が取り出されたかを把握することができるので、陳列棚カメラ５６に適切な位置を撮影させるように動作を制御することができる。
【００２４】
本実施の形態における盗難防止システム１０の動作フローの概略について図４に沿って説明する。
店舗の開店前において、陳列棚通信手段５４は、陳列棚５０の各陳列棚アンテナ５２に電源を供給して、陳列棚アンテナ５２に商品２０の無線タグ２２と通信させた（Ｓ２０１）後、その通信結果を基本データとして記憶手段３２に記憶させる（Ｓ２０２）。
【００２５】
店舗を開店させた後、陳列棚通信手段５４は、陳列棚５０の各陳列棚アンテナ５２に常時または所定の間隔で電源を供給して、陳列棚アンテナ５２に商品２０の無線タグ２２と通信させ（Ｓ２０３）、その通信結果を制御手段４０に送信する（Ｓ２０４）。制御手段４０は、受信した通信結果と、記憶手段３２の基本データとを比較することにより、陳列棚５０のどの載置部分５０ａからどの商品２０が取り出されたかを検索し、商品２０が取り出されたと判断した（Ｓ２０５）場合には、陳列棚カメラ５６により陳列棚５０の載置部分５０ａ近傍を撮影させる（Ｓ２０６）。これに続いて、制御手段４０により、陳列棚５０から取り出されたと判断された商品２０に取り付けられた無線タグ２２に記録されている無線タグ情報および陳列棚カメラ５６により撮影した撮影画像データが、互いに関連付けされ、通信時刻と共に記憶手段３２に記憶される（Ｓ２０７）。
なお、商品２０が陳列棚５０から取り出されていない場合（Ｓ２０５；Ｎｏ）には、基本データとの間に差分は生じないので、Ｓ２０３へ戻る。
【００２６】
また、制御手段４０は、陳列棚通信手段５４により得られた通信データを、記憶手段３２に比較対象データとして記憶させる（Ｓ２０８）。これを繰り返し実行することにより、制御手段４０は、前回取得した通信データと今回取得した通信データとを比較することになるので、通信毎の差分情報を得ることができる。
したがって、毎回の通信データを基本データに比較する場合に比べ、制御手段４０により陳列棚５０から取り出したと判断されるのは一回のみであるため、記憶手段３２に記録する無線タグ情報は必要最小限の量になるため、記憶手段３２の記憶容量の節約が可能になる。
なお、陳列棚５０から取り出された商品２０が再び陳列棚５０に戻されたか否かについては、制御手段４０が無線タグ２２と陳列棚アンテナ５２との通信結果を比較する（Ｓ２０９）ことにより判断することができる。
【００２７】
店内の商品２０に付されている無線タグ２２は、商品が正規に清算され（Ｓ２１０；Ｙｅｓ）れば、レジにおいて取り外されたり、ＰＯＳシステム８０により、無線タグ情報を読み取り、読み取った無線タグ情報を、記憶手段３２に購入済商品情報として記憶させておくことで、商品２０が購入済商品であることの識別を付与することができる（Ｓ２１１）。
顧客が店舗から出ようとする場合には、出入口アンテナ２４を通過する。顧客が商品２０を店舗外に持ち出そうとすれば、商品２０の無線タグ２２と出入口アンテナ２４とが通信する（Ｓ２１２）。通信データを購入済商品情報と比較した結果、制御手段４０が当該商品２０が正規に購入されていないと判断（Ｓ２１３；Ｎｏ）した場合（無線タグ２２が取り付けられたままの状態や、出入口アンテナ２４と通信した無線タグ情報が、記憶手段３２の購入済商品に該当しなかった場合）においては、制御手段４０は、アラーム手段３０を作動させて、アラームを発生させる（Ｓ２１４）と共に、出入口カメラ２８により出入口近傍のようすを撮影させる（Ｓ２１５）。出入口カメラ２８により撮影された撮影画像データは、制御手段４０により無線タグ情報に関連付けられて日時と共に記憶手段３２に記憶される（Ｓ２１６）。
【００２８】
アラーム手段３０は、店内にいるすべての人に分かるようなアラームを発生するだけでなく、店員のみが気が付くようなアラーム；例えば盗難のおそれがある場合を知らせるために予め設定している特定の音楽（サインミュージック）を再生をすることも十分に可能である。
【００２９】
なお、陳列棚アンテナ５２と通信した無線タグ２２が記憶手段３２に記憶されている購入済商品データと一致した場合には、正規に購入された商品２０であるので、制御手段４０何らの処理も行わなくてもよいが、より好ましくは、陳列棚５０から取り出されたと判断された商品２０が購入された場合において、ＰＯＳシステム８０が購入された商品２０の無線タグ２２に記録されている無線タグ情報を制御手段４０に送信しておけばよい。これにより、制御手段４０が、記憶手段３２に記憶されている無線タグ２２と陳列棚アンテナ５２との通信結果と陳列棚カメラ５６による撮影画像データのうち、購入された商品２０の無線タグ情報に関連付けされている情報を削除させる（Ｓ２１７）ことも可能になる。
このように、正規に購入された商品２０に関しては、無線タグ情報を元にして記憶手段３２に記憶させていた通信データや撮影画像データを削除することにより、記憶手段３２の記憶容量の大幅な節約が可能になるため好適である。
【００３０】
ちなみに、制御手段４０により陳列棚５０から取り出されたと判断された商品２０が再び陳列棚５０に戻された場合においても、無線タグ２２と陳列棚アンテナ５２との通信結果は比較対象データと差分を生じているので、制御手段４０は通信信号により、陳列棚５０に商品２０が戻されたという判断をすることができる。この時、記憶手段３２に商品２０が戻されたことを記録することにより、商品２０が陳列棚５０から取り出されたものの購入には至らなかった場合であっても、商品２０に関する情報を記憶手段３２に記憶させておくことができるので、本盗難防止システム１０は、商品情報管理システムとしても使用することができるため好適である。
【００３１】
（第３の実施の形態）
本実施の形態においては、先に説明した盗難防止システム１０において、無線タグ２２に識別子を記録しておくことにより、さらに好適に商品２０の盗難を防止することが可能な盗難防止システム１０である。以下に本実施の形態について説明する。なお、本実施の形態における盗難防止システム１０は、第２の実施の形態における盗難防止システム１０の構成と同じであるため、同符号を付すことにより、これらの詳細な説明は省略する。
【００３２】
本実施の形態においては、商品２０に取り付ける無線タグ２２に他の商品２０と区別がつくような識別子を記録しておくことを特徴としている。
本実施の形態においては、無線タグ２２に予め特定の商品２０であることが認識できるように特定の情報（識別子）を記録しておけば、無線タグ２２と陳列棚アンテナ５２との通信結果により、特定の商品２０が陳列棚５０から取り出されたことが識別可能になる。制御手段４０は通信結果により特定の商品２０が取り出されたと判断した場合、アラーム手段３０を速やかに作動させて、アラームまたはサインミュージックの再生を実行させる。
【００３３】
特定の商品２０としては、具体的には人気商品や高額商品といった盗難に遭いやすい商品２０があげられる。このように盗難に遭いやすい商品２０については、陳列棚５０から取り出されたときから店員に注意を喚起させることにより、盗難を未然に防ぐことが可能となる。
【００３４】
以上、本発明に係る盗難防止システム１０について詳細に説明してきたが、本発明は、これらの実施の形態に限定されるものではない。
例えば、アラーム手段３０に、表示手段（図示せず）を具備させて、出入口アンテナ２４と反応した無線タグ２２の無線タグ情報から商品名等を表示させるようにしてもよい。さらにまた、ＣＤショップ等においては、無線タグ情報に商品２０の商品名と共に音楽データを記憶手段３２に記憶させておき、無線タグ２２が出入口アンテナ２４に反応し、通信結果に基いて制御手段４０が、商品２０が盗難されたと判断した場合にアラーム手段３０により音楽データを流すと共に、表示手段に商品名を表示させるようにしても良い。
【００３５】
【発明の効果】
以上のことから、本発明における盗難防止システムには以下のような効果がある。
すなわち、盗難防止用タグに無線タグを用いているので、誤作動がほとんどなく、商品情報を無線タグに記憶させておくことができるため、何が万引きされたかが明確になる。
また、無線タグは非常に薄く小さくすることができるので、商品に直接取り付けることも可能であり、どこに取り付けてあるの分からなくすることができる。これにより、無線タグを取り外すことができなくなり、確実に盗難を防止することができる。
さらに、何らかの方法で商品が未清算のまま店舗外へ持ち出された場合であっても、カメラによる撮影画像が無線タグ情報と共に保存されているので、犯人と盗難された商品を把握することができるため、後の防犯対策において非常に有効である。
【００３６】
また、商品が陳列位置から取り出された時点と、店舗外に持ち出された時点において、カメラによる撮影データを商品情報と共に記憶させておくことができるので、さらに正確に犯人像をつかむことができる。
【００３７】
また、商品の無線タグには、他の商品との識別をする識別子が付されていることにより、人気商品や万引きされやすい商品が陳列場所から取り出され時点で、アラームが作動するので、万引きになる前の段階で店員に注意を促すことができるので、万引き行為そのものを抑制することができる。
さらにまた、アラームとして店内にサインミュージックを放送することにより、店内の他の顧客に不快感を与えることなく、店員のみに注意を喚起させることができるため、店内の雰囲気を壊すことがない。
【００３８】
さらに、アラーム手段は、表示手段を有し、持ち出された商品の名称等の商品データを表示することができるので、万引きが生じた場合であっても、店舗の出入口で万引きされた商品を特定することができるので、万引き行為の証拠をつかみやすくなる等といった著効を奏する。
【図面の簡単な説明】
【図１】第１の実施の形態における盗難防止システムの概略構成を示す説明図である。
【図２】第２の実施の形態における盗難防止システムの概略構成を示す説明図である。
【図３】陳列棚アンテナのアンテナ形状を示す説明平面図である。
【図４】第２の実施の形態における盗難防止システムの動作フローである。
【符号の説明】
１０  盗難防止システム
２０  商品
２２  無線タグ
２４  出入口アンテナ
２６  出入口通信手段
２８  出入口カメラ
３０  アラーム手段
３２    記憶手段
４０    制御手段
５０    陳列棚
５２    陳列棚アンテナ
５４    陳列棚通信手段
５６    陳列棚カメラ
８０    ＰＯＳシステム
【図１】
2004310172.tif 000003
【図２】
2004310172.tif 000004
【図３】
2004310172.tif 000005
【図４】
2004310172.tif 000006